(57)【要約】【課題】アクセサリの拡張性を向上させる。【解決手段】アクセサリであって、カメラに設けられたカメラ側取り付け部に取り付けられるアクセサリであって、カメラ側取り付け部と嵌合する嵌合部と、嵌合部に対して固定された基部と、基部に対して相対的に移動可能な可動部と、他のアクセサリが取り付けられるアクセサリ側取り付け部とを備え、基部と可動部とによりアクセサリ側取り付け部の少なくとも一部が隠れる第１状態と、アクセサリ側取り付け部が露出する第２状態とを有する。【選択図】図１２
2014182214.tif 000002
【特許請求の範囲】
【請求項１】
カメラに設けられたカメラ側取り付け部に取り付けられるアクセサリであって、
前記カメラ側取り付け部と嵌合する嵌合部と、
前記嵌合部に対して固定された基部と、
前記基部に対して相対的に移動可能な可動部と、
他のアクセサリが取り付けられるアクセサリ側取り付け部と
を備え、
前記基部と前記可動部とにより前記アクセサリ側取り付け部の少なくとも一部が隠れる第１状態と、前記アクセサリ側取り付け部が露出する第２状態とを有するアクセサリ。
【請求項２】
前記カメラと共に使用される機能を有する機能部を、前記基部と前記可動部の少なくとも一方に備える請求項１に記載のアクセサリ。
【請求項３】
前記可動部は、前記基部に対して回動する請求項１または２に記載のアクセサリ。
【請求項４】
前記第１状態において前記可動部は前記基部に載置され、前記第２状態において前記可動部は前記基部の側方に位置し、
前記アクセサリ側取り付け部は、前記第１状態における前記可動部および前記基部の向かい合う一対の面のいずれか一方に配される請求項３に記載のアクセサリ。
【請求項５】
前記アクセサリ側取り付け部は前記基部側の面に配され、前記第２状態において前記可動部が前記基部側の前記面から離間することにより前記アクセサリ側取り付け部が露出する請求項４に記載のアクセサリ。
【請求項６】
前記アクセサリ側取り付け部は前記可動部側の面に配され、前記第２状態において前記可動部側の前記面が露出することにより前記アクセサリ側取り付け部が露出する請求項４に記載のアクセサリ。
【請求項７】
前記アクセサリ側取り付け部は、前記基部に載置された載置位置と、前記基部から外側に引き出された引出位置との間を移動可能であり、
前記第１状態において、前記アクセサリ側取り付け部は前記載置位置にあり、前記可動部は前記基部に載置され、
前記第２状態において、前記アクセサリ側取り付け部は前記引出位置にあり、前記可動部は前記基部に載置されている請求項３に記載のアクセサリ。
【請求項８】
前記可動部が前記基部から退避した位置に移動した場合に、前記アクセサリ側取り付け部が前記載置位置と前記引出位置との間で移動自在になる第３状態を更に備える請求項７に記載のアクセサリ。
【請求項９】
前記可動部は、前記基部に対して平行移動する請求項１または２に記載のアクセサリ。
【請求項１０】
前記第１状態において前記可動部は前記基部に載置され、前記第２状態において前記可動部は前記基部の側方に位置し、
前記アクセサリ側取り付け部は、前記第１状態における前記可動部および前記基部の向かい合う一対の面のいずれか一方に配される請求項９に記載のアクセサリ。
【請求項１１】
前記アクセサリ側取り付け部は、前記カメラ側取り付け部と異なる形状および寸法の少なくとも一方を有する請求項１から請求項１０までのいずれか一項に記載のアクセサリ。
【請求項１２】
前記アクセサリは、前記アクセサリ側取り付け部を複数備える請求項１から請求項１１までのいずれか一項に記載のアクセサリ。
【発明の詳細な説明】
【技術分野】
【０００１】
本発明は、アクセサリに関する。
【背景技術】
【０００２】
アクセサリ自体にアクセサリシューを設けて、更に他のアクセサリを装着する場合がある（特許文献１参照）。
［特許文献１］  実開昭６２−０２４５７０号公報
【発明の概要】
【発明が解決しようとする課題】
【０００３】
アクセサリ側のアクセサリシューはカメラボディから突出した位置に配される。このため、使用しない場合に邪魔になることがある。
【課題を解決するための手段】
【０００４】
本発明の一態様においては、カメラに設けられたカメラ側取り付け部に取り付けられるアクセサリであって、カメラ側取り付け部と嵌合する嵌合部と、嵌合部に対して固定された基部と、基部に対して相対的に移動可能な可動部と、他のアクセサリが取り付けられるアクセサリ側取り付け部とを備え、基部と可動部とによりアクセサリ側取り付け部の少なくとも一部が隠れる第１状態と、アクセサリ側取り付け部が露出する第２状態とを有するアクセサリが提供される。
【０００５】
上記発明の概要は、この発明の必要な特徴の全てを列挙したものではない。これらの特徴群のサブコンビネーションもまた発明となり得る。
【図面の簡単な説明】
【０００６】
【図１】カメラ本体１００の模式的背面図である。
【図２】カメラアクセサリ２０１の正面図である。
【図３】カメラアクセサリ２０１の左側面図である。
【図４】カメラアクセサリ２０１の右側面図である。
【図５】カメラアクセサリ２０１の背面図である。
【図６】カメラアクセサリ２０１の内部構造を背面側から見た様子を示す図である。
【図７】カメラアクセサリ２０１の内部構造を左側面側から見た様子を示す図である。
【図８】係止機構２９０を左側面側から見た様子を示す部分拡大図である。
【図９】係止機構２９０を背面側から見た様子を示す部分拡大図である。
【図１０】係止機構２９０を左側面側から見た様子を示す部分拡大図である。
【図１１】カメラアクセサリ２０１の使用状態を示す背面図である。
【図１２】カメラアクセサリ２０１の使用状態を示す背面図である。
【図１３】カメラアクセサリ２０２を使用状態で示す背面図である。
【図１４】カメラアクセサリ２０３の背面図である。
【図１５】カメラアクセサリ２０３の背面図である。
【図１６】カメラアクセサリ２０４の背面図である。
【図１７】カメラアクセサリ２０４の背面図である。
【図１８】カメラアクセサリ２０４の部分的な平面図である。
【図１９】カメラアクセサリ２０４の部分的な平面図である。
【図２０】カメラアクセサリ２０４の使用状態を示す背面図である。
【図２１】カメラアクセサリ２０４の使用状態を示す背面図である。
【図２２】カメラアクセサリ２０５の平面図である。
【図２３】カメラアクセサリ２０５の背面図である。
【図２４】カメラアクセサリ２０５の左側面図である。
【図２５】カメラアクセサリ２０５の平面図である。
【図２６】カメラアクセサリ２０５の背面図である。
【図２７】カメラアクセサリ２０５の内部構造を背面側から見た様子を示す図である。
【図２８】カメラアクセサリ２０５の内部構造を背面側から見た様子を示す図である。
【図２９】カメラアクセサリ２０６の斜視図である。
【図３０】カメラアクセサリ２０６の斜視図である。
【発明を実施するための形態】
【０００７】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００８】
図１は、カメラ本体１００の背面図である。なお、明細書の記載を簡潔にする目的で、以下の説明においては、カメラ本体１００におけるレンズ側を、カメラ本体１００の前側または前面と記載する。また、カメラ本体１００におけるレンズとは反対側を、カメラ本体１００における後側または背面と記載する。更に、カメラ本体１００を水平面に載置した場合の水平方向および垂直方向を、カメラ本体１００に関しても水平方向または垂直方向と記載する。
【０００９】
カメラ本体１００の背面には、表示部１１０、アクセサリソケット１２０、表示切換ボタン１３０、ズームボタン１４０等が配される。また、カメラ本体１００の上面には、アクセサリシュー１５０、シャッタボタン１６０等が配される。
【００１０】
表示部１１０は、液晶表示パネル等を有し、カメラ本体１００の前面に配された撮影レンズを通じて撮像素子が撮像した画像を表示する。また、表示部１１０には、設定メニュー、バッテリの残量等、カメラ本体１００がユーザに伝える各種の情報が表示される。
【００１１】
アクセサリソケット１２０には、カメラ本体１００の内部回路に結合された接続端子が設けられる。アクセサリソケット１２０に対して、カメラ本体１００の背面と直交する方向にプラグをさし込むことにより、カメラ本体１００の内部回路をカメラ本体１００の外部に対して電気的に接続できる。
【００１２】
表示切換ボタン１３０は、表示部１１０への表示の可否と表示内容とを切り換える場合に操作される。また、カメラ本体１００に、ＥＶＦ（Ｅｌｅｃｔｒｏｎｉｃ  Ｖｉｅｗ  Ｆｉｎｄｅｒ）等の他の表示装置が装着されている場合には、表示先の選択にも使用される。ズームボタン１４０は、カメラ本体１００の撮影レンズの倍率を変化させる場合に操作される。
【００１３】
アクセサリシュー１５０は、一対の嵌合爪を有する。これにより、アクセサリシュー１５０は、当該一対の嵌合爪に嵌合する嵌合部を備えたアクセサリを、カメラ本体１００に対して取り付ける場合の取り付け部として使用される。アクセサリシュー１５０における一対の嵌合爪の間には、アクセサリシュー１５０に装着されたアクセサリに対する電気的接続を形成する接点が設けられる場合がある。
【００１４】
シャッタボタン１６０がユーザにより深く押し込まれることにより、カメラ本体１００における撮影動作が実行される。また、シャッタボタン１６０が完全に押し込まれない半押し状態においては、カメラ本体１００の測光機能およびオートフォーカス機能が動作する。
【００１５】
図２は、カメラ本体１００に装着されて、カメラ本体１００と共に使用できるカメラアクセサリ２０１の正面図である。カメラアクセサリ２０１は、アクセサリプラグ２１０、嵌合部２２０、基部２３０、格納部２４０、機能部２７０および連結部２６０を有する。
【００１６】
アクセサリプラグ２１０は、カメラ本体１００のアクセサリソケット１２０と相補的な形状を有し、カメラ本体１００の後方からアクセサリソケット１２０にさし込むことができる。また、アクセサリプラグ２１０は、アクセサリソケット１２０の電気接点に対応する電気接点を有し、アクセサリソケット１２０にさし込まれた場合に、カメラアクセサリ２０１とカメラ本体１００とを電気的に結合する。
【００１７】
嵌合部２２０は、カメラ本体１００のアクセサリシュー１５０と相補的な形状を有する。これにより、嵌合部２２０を、カメラ本体１００の後方からアクセサリシュー１５０にさし込んで嵌合させることができる。
【００１８】
カメラアクセサリ２０１の基部２３０は、嵌合部２２０に対して固定されている。よって、嵌合部２２０がアクセサリシュー１５０に取り付けられた場合、基部２３０は、カメラ本体１００に対して機械的に固定され、図中上面に固定されたアクセサリシュー２５０を支持する。アクセサリシュー２５０は、カメラアクセサリ２０１とは別のアクセサリを、カメラアクセサリ２０１に対して取り付ける場合の取り付け部として使用される。
【００１９】
格納部２４０は、機能部２７０に一体的に設けられ、アクセサリシュー２５０を包囲する内壁により形成された空洞を有する。これにより、アクセサリシュー２５０は、機能部２７０の下面に形成された格納部２４０の内部に格納される。こうして、アクセサリ２０１は、アクセサリシュー２５０を隠蔽した第１状態になる。
【００２０】
連結部２６０は、回動軸２６２を有し、基部２３０と機能部２７０とを回動可能に機械的に連結する。また、収容部２８０は、基部２３０および機能部２７０の間を電気的に結合する配線を収容する。
【００２１】
機能部２７０は、カメラアクセサリ２０１をカメラ本体１００に取り付けた場合に利用される機能を備える。機能部２７０の具体例としては、光学ファインダまたはＥＶＦ（Ｅｌｅｃｔｒｏｎｉｃ  Ｖｉｅｗ  Ｆｉｎｄｅｒ）を含むファインダ、ＧＰＳユニット、リモートコントロール装置、無線ＬＡＮ装置とそのアンテナ類、フラッシュ、ビデオライト等の付加的な照明装置の他、外付けマイク等をあげることができるが、これらに限定されるわけではない。
【００２２】
図３は、カメラアクセサリ２０１の左側面図である。図２と共通の要素には同じ参照番号を付して重複する説明を省く。
【００２３】
カメラアクセサリ２０１の左側面において、機能部２７０には係止機構２９０の係止ノブ２９２が配される。係止ノブ２９２は、機能部２７０の側面に形成された開口２７１の内側に配され、カメラアクセサリ２０１に対して前後方向に移動させる操作ができる。また、機能部２７０において、アクセサリシュー２５０を格納した格納部２４０は、カメラアクセサリ２０１の後方寄りに配される。
【００２４】
左側方から見たカメラアクセサリ２０１において、基部２３０は、アクセサリシュー２５０および機能部２７０を下方から支持する水平部分と、水平部分の後端側から図中下方に向かって伸びる垂直部分とを有する。アクセサリプラグ２１０は、基部２３０の垂直部分から前方に向かって突出する。嵌合部２２０は、基部２３０の水平部分から下方に向かって突出する。
【００２５】
図４は、カメラアクセサリ２０１の右側面図である。図２および図３と共通の要素には同じ参照番号を付して重複する説明を省く。
【００２６】
カメラアクセサリ２０１の右側面において、連結部２６０および収容部２８０は、基部２３０および機能部２７０にまたがって配される。連結部２６０は、カメラアクセサリ２０１の前後方向に延在する回動軸２６２を有する。これにより、機能部２７０は、基部２３０に対して、回動軸２６２を回動軸として回動する。
【００２７】
収容部２８０は、基部２３０および機能部２７０の間を電気的に結合する配線を収容する。これにより、機能部２７０が回動軸２６２の廻りを回動した場合も、基部２３０および機能部２７０の電気的な接続が維持される。
【００２８】
図５は、カメラアクセサリ２０１の背面図である。図２、図３および図４と共通の要素には同じ参照番号を付して重複する説明を省く。
【００２９】
カメラアクセサリ２０１の背面において、機能部２７０の背面には接眼窓２７２が配される。ユーザは、機能部２７０に収容されたＥＶＦを観察できる。このように、カメラアクセサリ２０１は、カメラ本体１００に装着して撮影範囲を確認するファインダとして使用できる。
【００３０】
図６は、図５と同じ方向から見たカメラアクセサリ２０１の内部構造を示す模式図である。図２から図５までと共通の要素には同じ参照番号を付して重複する説明を省く。
【００３１】
基部２３０の内部には、主基板２３２が配される。主基板２３２は、基部２３０の垂直部と平行に、基部２３０の背面に沿って配される。主基板２３２には、フレキシブルプリント基板２８２の一端が結合される。
【００３２】
フレキシブルプリント基板２８２は、図中左側方に延在して、収容部２８０内で折り返した後、機能部２７０の底部近傍に到達する。機能部２７０の内部において、フレキシブルプリント基板２８２の他端は表示素子２７６に結合される。るた、機能部２７０において、表示素子２７６の上方には反射鏡２７４が配される。
【００３３】
図７は、左側面から見たカメラアクセサリ２０１の内部構造を示す模式図である。図２から図６までと共通の要素には同じ参照番号を付して重複する説明を省く。
【００３４】
基部２３０の内部において、主基板２３２には、アクセサリプラグ２１０の一端が結合される。これにより、アクセサリプラグ２１０は、主基板２３２から機械的に支持されると共に、主基板２３２上の回路に電気的にも結合される。よって、アクセサリプラグ２１０がカメラ本体１００のアクセサリソケット１２０にさし込まれた場合、主基板２３２は、カメラ本体１００の内部回路に電気的に結合される。
【００３５】
フレキシブルプリント基板２８２の一端は、主基板２３２に実装されたコネクタ２３４にさし込まれる。これにより、フレキシブルプリント基板２８２は、主基板２３２上の回路と電気的に結合される。
【００３６】
また、フレキシブルプリント基板２８２の一部は、基部２３０の水平部の内部を前方に向かって延在し、ホットシュー端子２５２にも接続される。ホットシュー端子２５２は、基部２３０に固定されたアクセサリシュー２５０の内側に一端を露出させる。これにより、アクセサリシュー２５０は、カメラ本体１００に電気的に結合されたホットシューとなる。なお、カメラ本体１００のアクセサリシュー１５０がホットシューである場合は、アクセサリシュー２５０のホットシュー端子２５２を、嵌合部２２０に設けた端子に結合して、アクセサリシュー１５０に直結できる構造にしてもよい。
【００３７】
カメラアクセサリ２０１の機能部において、接眼窓２７２と反射鏡２７４の間には接眼レンズ２７３が配される。表示素子２７６に表示された映像は、反射鏡２７４により接眼窓２７２に向かって反射され、接眼レンズ２７３を通じて適切な倍率で外部から観察される。
【００３８】
なお、表示素子２７６は、カメラアクセサリ２０１の前端近傍に配される。一方、格納部２４０は、カメラアクセサリ２０１の後端寄りに配される。よって、機能部２７０において、格納部２４０と表示素子２７６とが干渉することが避けられる。また、格納部２４０と表示素子２７６とを両方設けることにより、カメラアクセサリ２０１の高さが徒に高くなることも防止される。
【００３９】
図８は、カメラアクセサリ２０１における係止機構２９０の構造を、カメラアクセサリ２０１の左側面側から示す模式図である。図２から図７までと共通の要素には同じ参照番号を付して重複する説明を省く。
【００４０】
係止機構２９０において、係止ノブ２９２は、機能部２７０の内部に配された係止レバー２９３に一体的に結合される。係止レバー２９３は、前後方向に延在し、前端近傍を一対の案内部２７８に挟まれる。また、係止レバー２９３の後端近傍には、カメラアクセサリ２０１の前後方向に延在する溝が形成され、他の案内部２７９が挿通される。
【００４１】
案内部２７８、２７９は、それぞれ機能部２７０に対して固定される。よって、係止レバー２９３は、機能部２７０に対して専ら前後方向に移動可能に支持される。
【００４２】
更に係止レバー２９３の後端は、図中下方に向かって延在して、係止爪２９４に結合される。係止爪２９４は、カメラアクセサリ２０１の前方に向かって突出し、図示の状態では、先端がアクセサリシュー２５０にさし込まれている。アクセサリシュー２５０は基部２３０に対して固定されているので、係止爪２９４により機能部２７０がアクセサリシュー２５０に係止された図示の状態では、機能部２７０は基部２３０に対して係止される。よって、カメラアクセサリ２０１において、機能部２７０を、基部２３０に対して回動させることが規制される。
【００４３】
図９は、カメラアクセサリ２０１における係止機構２９０の構造をカメラアクセサリ２０１の背面側から示す模式図である。図２から図８までと共通の要素には同じ参照番号を付して重複する説明を省く。
【００４４】
係止機構２９０において、係止ノブ２９２は、機能部２７０の側面から僅かに突出する。これにより、ユーザは、係止ノブ２９２をカメラアクセサリ２０１の外部から操作して、係止レバー２９３を移動させることができる。
【００４５】
また、係止爪２９４の上面には小突起２９５が配される。よって、係止爪２９４がアクセサリシュー２５０に入り込んだ状態で、小突起２９５をアクセサリシュー２５０の内面に押し付けることにより、係止爪２９４とアクセサリシュー２５０との間にガタが生じることを防止できる。また、係止爪２９４が不用意にアクセサリシュー２５０から抜けてしまうことを防止できる。
【００４６】
図１０は、係止機構２９０の他の状態を、カメラアクセサリ２０１の左側面側から示す模式図である。図２から図９までと共通の要素には同じ参照番号を付して重複する説明を省く。
【００４７】
図示の係止機構２９０において、係止ノブ２９２は、図中左側、即ち、カメラアクセサリ２０１の背面側に向かって移動している。これにより、係止レバー２９３も背面側に移動して、係止爪２９４が、アクセサリシュー２５０から抜け出ている。
【００４８】
こうして、係止レバー２９３を含む機能部２７０と、アクセサリシュー２５０を支持する基部２３０との係止が解除される。よって、カメラアクセサリ２０１において、機能部２７０を、基部２３０に対して回動させることができる状態になる。
【００４９】
図１１は、カメラ本体１００にカメラアクセサリ２０１を装着した状態を、カメラ本体１００の背面側から見た様子を示す図である。図１から図１０までと共通の要素には同じ参照番号を付して重複する説明を省く。
【００５０】
カメラアクセサリ２０１をカメラ本体１００に装着する場合、カメラアクセサリ２０１の嵌合部２２０をカメラ本体１００のアクセサリシュー１５０にさし込む。また、カメラアクセサリ２０１のアクセサリプラグ２１０を、カメラ本体１００のアクセサリソケット１２０にさし込む。
【００５１】
ここで、嵌合部２２０のアクセサリシュー１５０に対する差し込み方向は、アクセサリプラグ２１０のアクセサリソケット１２０に対する差し込み方向と平行になる。よって、嵌合部２２０をアクセサリシュー１５０にさし込む操作は、アクセサリプラグ２１０をアクセサリソケット１２０にさし込む操作を兼ねる。
【００５２】
カメラアクセサリ２０１がカメラ本体１００に取り付けられると、カメラアクセサリ２０１の接眼窓２７２を、カメラ本体１００の背面側から観察できる。また、アクセサリプラグ２１０がアクセサリソケット１２０に結合されることにより、カメラアクセサリ２０１の表示素子２７６には、カメラ本体１００から供給された画像、例えば、表示部１１０の表示内容と同じ表示内容が表示される。
【００５３】
よって、ユーザは、表示部１１０に代えて、カメラアクセサリ２０１の接眼窓２７２を観察しつつ、カメラ本体１００による撮影を実行できる。これにより、例えば、明るい屋外の撮影で表示部１１０を見づらい場合であっても、カメラアクセサリ２０１を用いて撮影できる。
【００５４】
図１２は、カメラ本体１００にカメラアクセサリ２０１を装着した他の状態を、カメラ本体１００の背面側から見た様子を示す図である。図１１と共通の要素には同じ参照番号を付して重複する説明を省く。
【００５５】
カメラ本体１００に装着されたカメラアクセサリ２０１において、機能部２７０は、連結部２６０の回動軸２６２の廻りを回動している。これにより、格納部２４０は、機能部２７０と共に回動する。これにより、カメラアクセサリ２０１は、アクセサリシュー２５０が露出した第２状態になる。よって、アクセサリ２０１には、アクセサリシュー２５０に他アクセサリを装着できる状態になる。
【００５６】
このように、カメラアクセサリ２０１は、それ自体をカメラ本体１００のアクセサリシュー１５０に取り付けて使用するが、更に、アクセサリシュー２５０に他のカメラアクセサリを取り付けることができる。一方、カメラアクセサリ２０１のアクセサリシュー２５０を使用しない場合は、格納部２４０にアクセサリシュー２５０を格納できるので、カメラ本体１００から突出するアクセサリシュー２５０による擦過等を防止できると共に、アクセサリシュー２５０のホットシュー端子２５２を保護できる。
【００５７】
カメラアクセサリ２０１においては、機能部２７０が、嵌合部２２０および基部２３０に対して相対的に移動する可動部２２１を形成する。これにより、可動部２２１が、基部２３０に対する結合を維持したまま移動することにより、カメラアクセサリ２０１は、アクセサリシュー２５０が隠れた第１状態と、他のカメラアクセサリを取り付けるべくアクセサリシュー２５０が露出した第２状態とになる。
【００５８】
また、カメラアクセサリ２０１において回動した機能部２７０は、図中左側に移動する。これにより、カメラアクセサリ２０１の接眼窓２７２は、カメラ本体１００においてアクセサリシュー１５０が設けられた上面の面方向について、カメラ本体１００の左端よりも更に外側まで延伸する。よって、接眼窓２７２をのぞいた場合に、ユーザの鼻とカメラ本体１００との干渉を回避できる。
【００５９】
更に、カメラカメラアクセサリ２０１の図中左側に回動軸２６２が配されることにより、機能部２７０が回動した場合に、カメラカメラアクセサリ２０１全体の形状は図中左側に展開する。一方、カメラ本体１００においては、シャッタボタン１６０等の操作部がカメラ本体１００の右寄りに配されているが、上記のように可動部２２１が図中左側に移動することにより、可動部２２１によりカメラ本体１００の操作が妨げられることが防止される。換言すれば、アクセサリシュー２５０を露出させるべく機能部２７０が移動してカメラカメラアクセサリ２０１が変形する場合は、カメラ本体１００の操作部から遠ざかる方向に進展することが好ましい。
【００６０】
なお、上記のような反転動作により、図１１に示した状態と比較すると、機能部２７０は上下反転する。よって、表示素子２７６に表示する画像を、図１１に示した状態とは反転させることにより、依然としてＥＶＦとして使用できる。このため、カメラカメラアクセサリ２０１には、機能部２７０が回動されたことを検出してカメラ本体１００に通知する機能を設けることが好ましい。また、表示切換ボタン１３０等の操作によりユーザが表示素子２７６の表示内容を上下反転してもよい。
【００６１】
また、上記の例では、カメラ本体１００のアクセサリシュー１５０と同じ規格のアクセサリシュー２５０をカメラカメラアクセサリ２０１に設けた。しかしながら、カメラ本体１００およびカメラカメラアクセサリ２０１の少なくとも一方には、アクセサリシュー１５０、２５０に換えて、ＩＳＯ５１８に規定されたホットシューとは異なる他の取り付け部を設けてもよい。
【００６２】
更に、カメラカメラアクセサリ２０１に、複数のアクセサリシュー２５０を設けてもよい。これにより、カメラカメラアクセサリ２０１を装着した場合に、カメラ本体１００の拡張性を一段と向上させることができる。
【００６３】
また更に、各々がアクセサリシュー２５０を有するカメラカメラアクセサリ２０１を多段に重ねて装着してもよい。ただし、カメラ本体１００から供給できる電力の総和、カメラ本体１００が制御できるカメラカメラアクセサリ２０１の台数等に応じて制限を設けることが好ましい。
【００６４】
また、アクセサリシュー２５０の形状、寸法を変化させることにより、後段に取り付け得るカメラカメラアクセサリ２０１を制限してもよい。例えば、後段になるほどより軽量なアクセサリを取り付けるようにして取り付け強度および剛性を確保してもよい。
【００６５】
図１３は、他のカメラカメラアクセサリ２０２を使用状態で示す背面図である。カメラカメラアクセサリ２０２は、次に説明する部分を除くと、カメラカメラアクセサリ２０１と同じ構造を有する。よって、共通の要素には同じ参照番号を付して重複する説明を省く。
【００６６】
図１３は、カメラカメラアクセサリ２０２における可動部２２１が、基部２３０に結合されたまま移動してアクセサリシュー２５０が露出した、カメラアクセサリ２０２の第２状態を示す。ただし、カメラカメラアクセサリ２０２において、カメラカメラアクセサリ２０２のアクセサリシュー２５０は、可動部２２１側に設けられている。
【００６７】
このため、可動部２２１が回動して露出した場合、アクセサリシュー２５０は、カメラ本体１００の図中左方外側に位置する。これにより、アクセサリシュー２５０に取り付けた他のカメラアクセサリが、カメラ本体１００の操作を妨げることが防止される。
【００６８】
なお、カメラカメラアクセサリ２０２においては、基部２３０の上面に格納部２４０が設けられている。よって、可動部２２１が第１位置に移動した場合は、アクセサリシュー２５０がカメラカメラアクセサリ２０２の内部に格納された第１状態になる。
【００６９】
図１４は、他のカメラカメラアクセサリ２０３の第１状態を示す模式図である。カメラカメラアクセサリ２０３は、以下に説明する部分を除くと、カメラカメラアクセサリ２０１と同じ構造を有する。よって、共通の要素には同じ参照番号を付して重複する説明を省く。
【００７０】
カメラアクセサリ２０３は、表示素子２７６を用いたＥＶＦに換えて、ＧＰＳユニット２９６を有する機能部２７０を備える。ＧＰＳユニット２９６は、副基板２３３に実装され、機能部２７０の上端近傍に収容される。副基板２３３は、図中下面にコネクタ２３４を有し、フレキシブルプリント基板２８２の上端に結合される。これにより、カメラアクセサリ２０３をカメラ本体１００に装着した場合に、カメラ本体１００の内部回路と、カメラアクセサリ２０３のＧＰＳユニット２９６とを電気的に接続できる。
【００７１】
カメラアクセサリ２０３において、機能部２７０は、連結部２６０の回動軸２６２により、基部２３０に対して回動自在に連結される。また、フレキシブルプリント基板２８２は、回動軸２６２の周囲を廻り込んで引張まわされる。更に、収容部２８０は、機能部２７０の一部を延長して形成され、フレキシブルプリント基板２８２の外側を回り込んだ後、連結部２６０の上面に重なる。更に、カメラアクセサリ２０６には、回動軸２６２に関する機能部２７０の回動量を制限する回転制限を設けてもよい。
【００７２】
図１５は、カメラアクセサリ２０３の第２状態を示す模式図である。図１４と共通の要素には同じ参照番号を付して重複する説明を省く。
【００７３】
図１４に示した状態と比較すると、図示のカメラアクセサリ２０３では、ＧＰＳユニット２９６の長手方向が縦になるまで、機能部２７０が、回動軸２６２において基部２３０に対する結合を維持しつつ、回動軸２６２の廻りを回動している。これにより、機能部２７０の格納部２４０からアクセサリシュー２５０が露出する。このように、カメラアクセサリ２０３においては、機能部２７０が可動部２２１を形成する。
【００７４】
よって、カメラアクセサリ２０３がカメラ本体１００のアクセサリシュー１５０を占有していても、更に他のカメラアクセサリをアクセサリシュー２５０に取り付けることができる。また、機能部２７０が立ち上がっているので、ＧＰＳユニット２９６がカメラ本体１００内部の電子回路から遠ざかる。これにより、ＧＰＳユニット２９６が電子回路から受ける電磁気的な影響を低減できる。
【００７５】
なお、カメラアクセサリ２０２の機能部２７０に係止機構２９０はなく、図示していないクリック機構により状態が保持されている。ＧＰＳユニット２９６を収容した機能部２７０は小振りで軽量あることから、機能部２７０の回動を十分に抑制できる。
【００７６】
また、カメラアクセサリ２０２においては、アクセサリシュー２５０を使用しない場合であっても、機能部２７０を約９０°回動させることにより、縦位置撮影におけるＧＰＳユニット２９６による測位精度を向上させることができる。
【００７７】
図１６は、また他のカメラアクセサリ２０４の第１状態を左側面から示す模式図である。カメラアクセサリ２０４は、以下に説明する部分を除くと、カメラアクセサリ２０１と同じ構造を有する。よって、共通の要素には同じ参照番号を付して重複する説明を省く。
【００７８】
カメラアクセサリ２０４において、連結部２６０は、紙面に垂直な方向に延在する回動軸２６２を、カメラアクセサリ２０４の前端に有する。また、カメラアクセサリ２０４において、アクセサリシュー２５０は、支持板２５４に搭載され、カメラアクセサリ２０４の側面に向かって開口する方向に配される。
【００７９】
なお、カメラアクセサリ２０４の機能部２７０においては、表示素子２７６が、接眼窓２７２と平行に配される。よって、表示素子２７６は、接眼窓２７２および接眼レンズ２７３を通じて、カメラアクセサリ２０４の後方から観察される。このため、カメラアクセサリ２０４においては、反射鏡２７４が省かれている。
【００８０】
図１７は、カメラアクセサリ２０４の第２状態を、図１５と同じ方向から示す模式図である。図１５と共通の要素には同じ参照番号を付して重複する説明を省く。
【００８１】
カメラアクセサリ２０４において機能部２７０を回動軸２６２の廻りに回動させた場合、機能部２７０は前端を回動軸として起立する。これにより、接眼窓２７２がカメラ本体１００に対して上方を向くので、カメラアクセサリ２０４をウエストレベル用ファインダまたはローアングル用ファインダとして使用できる。
【００８２】
また、機能部２７０を上記のように回動させた場合、基部２３０の上面にアクセサリシュー２５０が露出する。ただし、既に説明したように、アクセサリシュー２５０は、カメラアクセサリ２０４の前後方向に対して直交する方向に開口しているので、他のカメラアクセサリを取り付ける場合、カメラ本体１００のアクセサリシュー１５０に取り付けた場合と直交する方向に取り付けることになる。
【００８３】
また、アクセサリシュー２５０は、基部２３０と機能部２７０との間に位置するので、図示の状態でアクセサリシュー２５０に他のカメラアクセサリを取り付けた状態で、機能部２７０をアイレベル用ファインダの位置に戻すことはできない。
【００８４】
図１８は、図１７に示した状態にあるカメラアクセサリ２０４のアクセサリシュー２５０を、上方から見下ろした様子を示す模式図である。図１６および図１７と共通の要素には同じ参照番号を付して重複する説明を省く。
【００８５】
カメラアクセサリ２０４において、機能部２７０は連結部２６０の廻りに回動して起立している。このため、基部２３０の上面に、アクセサリシュー２５０を搭載した支持板２５４が露出する。支持板２５４は、図中左下に位置する回動軸２５６により回動自在に基部２３０に連結される。よって、アクセサリシュー２５０は、支持板２５４および回動軸２５６を通じて基部２３０に連結される。
【００８６】
また、図示の状態では、機能部２７０が起立しているので、機能部２７０に形成された格納部２４０の内壁は、アクセサリシュー２５０および支持板２５４の周囲から退避している。よって、支持板２５４は、回動軸２５６の廻りを回動できる。
【００８７】
なお、支持板２５４は、回動軸２５６に設けられた回転制限により、図中時計廻りへの回転を制限されている。よって、機能部２７０が起立して格納部２４０から露出した状態であっても、支持板２５４が、カメラアクセサリ２０４の図中右側に突出することは規制される。
【００８８】
図１９は、図１８と異なる状態にあるカメラアクセサリ２０４のアクセサリシュー２５０を、上方から見下ろした様子を示す模式図である。図１８と共通の要素には同じ参照番号を付して重複する説明を省く。
【００８９】
図１８に示した状態と比較すると、図示のカメラアクセサリ２０４においては、アクセサリシュー２５０を搭載した支持板２５４が、回動軸２５６の廻りに略９０°回動している。これにより、アクセサリシュー２５０は、基部２３０の図中左側に突出する。
【００９０】
また、図示の状態では、アクセサリシュー２５０の向きも９０°回動し、カメラアクセサリ２０４の長手方向と平行な方向に向きを変えている。よって、アクセサリシュー２５０には、カメラ本体１００のアクセサリシュー１５０と同じ方向から、他のカメラアクセサリを取り付けることができる。このように、カメラアクセサリ２０４においては、支持板２５４およびアクセサリシュー２５０が可動部２２１を形成する。
【００９１】
なお、格納部２４０には、支持板２５４に対して図中左側に切り欠き部２４１が設けられている。よって、支持板２５４を図示の状態にしたまま機能部２７０を回動軸２６２の廻りに回動させて、機能部２７０をアイレベル用ファインダの位置に戻すことができる。
【００９２】
また、機能部２７０をアイレベル用ファインダの位置に戻すと、格納部２４０の端部に形成された制限部２４２が、支持板２５４上辺の直近に位置する。更に、支持板２５４の下辺の一部は、格納部２４０の端部に形成された制限部２３５に当接する。これにより、支持板２５４の回動が制限される。よって、アクセサリシュー２５０にアクセサリを取り付ける場合に、アクセサリシュー２５０が意図せず回動することが防止される。
【００９３】
図２０は、第１状態のカメラアクセサリ２０４を他のカメラ本体１０１に装着した状態を、カメラ本体１０１の背面側から見た様子を示す図である。カメラ本体１０１は、次に説明する部分を除くと、カメラ本体１００と共通の構造を有する。よって、共通の要素には同じ参照番号を付して重複する説明を省く。
【００９４】
カメラ本体１０１は、上面に、ポップアップフラッシュ部１７０を備える。ポップアップフラッシュ部１７０は、アクセサリシュー１５０の図中左側に隣接して配され、カメラ本体１０１から上方に突出する。また、ポップアップフラッシュ部１７０は、使用しない場合は、カメラ本体１０１の内部に格納できる。
【００９５】
カメラ本体１０１のアクセサリシュー１５０には、カメラアクセサリ２０４が取り付けられる。カメラアクセサリ２０４において、嵌合部２２０はアクセサリシュー１５０に嵌合し、アクセサリプラグ２１０はアクセサリソケット１２０にさし込まれる。これにより、カメラアクセサリ２０４は、カメラ本体１０１と連携して動作する。
【００９６】
図示の状態では、カメラアクセサリ２０４から、アクセサリシュー２５０は突出していない。よって、ポップアップフラッシュ部１７０をカメラ本体１０１から突出させて使用することができる。
【００９７】
図２１は、カメラ本体１０１に装着されたカメラアクセサリ２０４の第２状態を、カメラ本体１０１の背面側から見た様子を示す図である。図２０と共通の要素には同じ参照番号を付して重複する説明を省く。
【００９８】
カメラ本体１０１に装着されたカメラアクセサリ２０４においては、アクセサリシュー２５０を搭載した支持板２５４が、カメラアクセサリ２０４の図中左側に突出している。よって、アクセサリシュー２５０には、例えば、フラッシュ装置等の照明装置を装着して、カメラアクセサリ２０４の機能部２７０に設けられたＥＶＦと併用できる。
【００９９】
ただし、支持板２５４は、カメラ本体１０１の上面において、突出したポップアップフラッシュ部１７０が占める領域に突出している。よって、カメラ本体１０１にカメラアクセサリ２０４を取り付けて支持板２５４を突出させた状態では、ポップアップフラッシュ部１７０の使用が制限される。
【０１００】
なお、カメラアクセサリ２０４とポップアップフラッシュ部１７０等が干渉しないように配置してもよい。これにより、カメラアクセサリ２０４に取り付けた他のカメラアクセサリとポップアップフラッシュ部１７０とを両方同時に使用できる。また、既に説明したように、変形により突出したカメラアクセサリ２０４の一部が、カメラ本体１０１の操作部に対する操作を妨げないように配置することも好ましい。
【０１０１】
また、上記の例では、支持板２５４を基部２３０に対して回動させることにより、カメラアクセサリ２０４の外側に進展させ、また、格納部２４０に格納される構造とした。しかしながら、支持板２５４が、基部２３０に対して平行移動する構造にしてもよい。この場合、例えば、機能部２７０および格納部２４０は全く変位せず、アクセサリシュー２５０を搭載した支持板２５４が単独でカメラアクセサリ２０４から進退する構造にしてもよい。
【０１０２】
なお、上記の例において、可動部２２１は、基部２３０に対して回動することにより第１位置と第２位置との間を移動した。しかしながら、可動部２２１が、基部２３０に対して平行移動する構造にしてもよい。
【０１０３】
図２２は、他のカメラアクセサリ２０５の第１状態の平面図である。カメラアクセサリ２０５は、以下に説明する部分を除くと、他のカメラアクセサリ２０１、２０２、２０３と同じ要素を有する。よって、共通の要素には同じ参照番号を付して重複する説明を省く。
【０１０４】
カメラアクセサリ２０５は、基部２３０と機能部２７０とを有する。基部２３０には、収容部２８０、案内レール２３６およびアクセサリシュー２５０が配される。ただし、図示の状態でカメラアクセサリ２０５を見下ろした場合、収容部２８０、案内レール２３６およびアクセサリシュー２５０は、機能部２７０の下に隠れている。
【０１０５】
図２３は、カメラアクセサリ２０５の第１状態の背面図である。図２２と共通の要素には同じ参照番号を付して重複する説明を省く。
【０１０６】
カメラアクセサリ２０５において、機能部２７０は、接眼窓２７２、係合部２７７および格納部２４０を有する。接眼窓２７２は、カメラアクセサリ２０５の背面に向かって開口する。係合部２７７は、基部２３０の上面から隆起して基部２３０に設けられた案内レール２３６と係合する。
【０１０７】
格納部２４０は、機能部２７０の下面に設けられ、基部２３０の上面に配されたアクセサリシュー２５０を収容する。格納部２４０の図中左側面は、外部に向かって開放されている。
【０１０８】
図２４は、カメラアクセサリ２０５の内部構造を左側面側から見た様子を示す図である。図２２および図２３と共通の要素には同じ参照番号を付して重複する説明を省く。
【０１０９】
カメラアクセサリ２０５の基部２３０は、紙面に垂直な方向に延在する案内レール２３６を有する。案内レール２３６には、機能部２７０の下面に形成された係合部２７７が係合する。これにより、機能部２７０は、案内レール２３６の延在方向について、基部２３０に対して平行移動可能に、基部２３０に連結される。
【０１１０】
カメラアクセサリ２０５においても、表示素子２７６が、機能部２７０の先端側に接眼窓２７２と平行に配される。表示素子２７６は、中継部２８３を通じてフレキシブルプリント基板２８２に結合されたフレキシブルプリント基板２８４に実装される。
【０１１１】
なお、機能部２７０において、格納部２４０は、係合部２７７よりも後方に配される。また、フレキシブルプリント基板２８２、２８４の中継部２８３は、係合部２７７よりも前方に配される。よって、格納部２４０、中継部２８３を含むフレキシブルプリント基板２８２、２８４および係合部２７７が相互に干渉することはない。
【０１１２】
図２５は、図２２および図２３に示した状態にあるカメラアクセサリ２０５の内部構造を、カメラアクセサリ２０５の背面側から示す図である。図２２から図２４までと共通の要素には同じ参照番号を付して重複する説明を省く。
【０１１３】
図示の基部２３０において、フレキシブルプリント基板２８２から図中左方に延在する中継部２８３は、収容部２８０の内部で折り返した後に機能部２７０内を図中右方に延在し、表示素子２７６を実装されたフレキシブルプリント基板２８４に続く。これにより、表示素子２７６は、基部２３０のアクセサリプラグ２１０を通じてカメラ本体１００、１０１から駆動信号を受信する。
【０１１４】
図２６は、カメラアクセサリ２０５の第２状態の平面図であり、図２２と同じ視点からカメラアクセサリ２０５を見下ろした様子を示す。図２２と共通の要素には同じ参照番号を付して重複する説明を省く。
【０１１５】
図２２に示した状態と比較すると、図示のカメラアクセサリ２０５においては、機能部２７０が、係合部２７７と共に図中左方に移動している。このため、基部２３０の上面には、アクセサリシュー２５０と、案内レール２３６の一部とが外部に向かって露出する。このように、カメラアクセサリ２０５においては、機能部２７０が可動部２２１を形成する。
【０１１６】
図２７は、図２６に示した状態のカメラアクセサリ２０５の背面図である。図２６と共通の要素には同じ参照番号を付して重複する説明を省く。
【０１１７】
図示のカメラアクセサリ２０５において、接眼窓２７２を有する機能部２７０が図中左方に移動している。これにより、アクセサリシュー２５０は、格納部２４０の左端開口を通じて露出する。
【０１１８】
アクセサリシュー２５０は紙面手前側に開口するので、他のカメラアクセサリの嵌合部をさし込んでカメラアクセサリ２０５に取り付けることができる。また、アクセサリシュー２５０の紙面奥側には、案内レール２３６の一部を隆起している。よって、アクセサリシュー２５０に対して他のカメラアクセサリを装着した場合には、案内レール２３６が奥側のストッパを兼ねる。
【０１１９】
なお、機能部２７０の係合部２７７は、機能部２７０の左端まで延在している。よって、機能部２７０が左方に移動した状態であっても、機能部２７０と基部２３０との係合は維持される。
【０１２０】
図２８は、図２６および図２７に示した状態にあるカメラアクセサリ２０５の内部構造を、カメラアクセサリ２０５の背面側から示す図である。図２２から図２７までと共通の要素には同じ参照番号を付して重複する説明を省く。
【０１２１】
図示の基部２３０においては、機能部２７０が図中左方に移動したことにより、フレキシブルプリント基板２８２の中継部２８３に弛みが生じている。しかしながら、中継部２８３の弛んだ部分は、収容部２８０の内部に収容されるので、中継部２８３により機能部２７０の移動が妨げられることが回避される。
【０１２２】
このように、カメラアクセサリ２０５においては、格納部２４０を有する機能部２７０が基部２３０に対して平行移動することにより、アクセサリシュー２５０が露出する。よって、機能部２７０に例えばＥＶＦを設けた場合に、アクセサリシュー２５０を露出させることにより表示方向を反転させなくてもよい。
【０１２３】
また、上記の例では、機能部２７０を、基部２３０に対して変位する部分に、格納部２４０と一体的に設けた。しかしながら、基部２３０と一体的に機能部２７０を設け、独立した格納部２４０によりアクセサリシュー２５０等の取り付け部を覆う構造にしてもよい。
【０１２４】
図２９は、カメラ本体１００に装着してカメラ本体１００と共に使用できる他のカメラアクセサリ２０６の第１状態を示す斜視図である。カメラアクセサリ２０６において、他のカメラアクセサリ２０１〜２０５と共通の要素には同じ参照番号を付して重複する説明を省く。
【０１２５】
カメラアクセサリ２０６は、接眼窓２７２を含むＥＶＦを有する機能部２７０を備える。また、カメラアクセサリ２０６は、機能部２７０の下部に、アクセサリプラグ２１０および嵌合部２２０を備える。機能部２７０は、嵌合部２２０に対して固定されている。
【０１２６】
更に、機能部２７０の上面は、蓋部２５８により覆われている。蓋部２５８は、一対の回動軸２２６とリンク２２８により、機能部２７０に対して回動可能に、機能部２７０に結合されている。このようなカメラアクセサリ２０６は、カメラ本体１００のアクセサリシュー１５０に取り付けた場合に、ＥＶＦとして使用できる。
【０１２７】
図３０は、カメラアクセサリ２０６の第２状態を示す斜視図である。図示のカメラアクセサリ２０６においては、蓋部２５８が回動して、機能部２７０の図中背面に沿った位置に移動している。これにより、機能部２７０の上部には、アクセサリシュー２５０が現れている。アクセサリシュー２５０には、他のカメラアクセサリを取り付けることができる。
【０１２８】
このように、カメラアクセサリ２０６においては、蓋部２５８が可動部２２１を形成する。また、アクセサリシュー２５０を収容する格納部２４０は、機能部２７０の一部として形成される。
【０１２９】
ここまで、アクセサリシュー１５０を備えたカメラ本体１００、１０１に装着するカメラアクセサリ２０１、２０２、２０３、２０４を例にあげて説明した。しかしながら、カメラアクセサリ２０１、２０２、２０３、２０４を装着する対象は、アクセサリシュー１５０等の取り付け部により機能を拡張できる機能を有するものであれば、ビデオカメラ、監視カメラ等、さまざまな機材に適用できる。
【０１３０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１３１】
１００、１０１  カメラ本体、１１０  表示部、１２０  アクセサリソケット、１３０  表示切換ボタン、１４０  ズームボタン、１５０、２５０  アクセサリシュー、１６０  シャッタボタン、１７０  ポップアップフラッシュ部、２０１、２０２、２０３、２０４、２０５、２０６  アクセサリ、２１０  アクセサリプラグ、２２０  嵌合部、２２１  可動部、２２６、２５６、２６２  回動軸、２２８  リンク、２３０  基部、２３２  主基板、２３３  副基板、２３４  コネクタ、２３５、２４２  制限部、２３６  案内レール、２４０  格納部、２４１  切り欠き部、２５２  ホットシュー端子、２５４  支持板、２５８  蓋部、２６０  連結部、２７０  機能部、２７１  開口、２７２  接眼窓、２７３  接眼レンズ、２７４  反射鏡、２７６  表示素子、２７７  係合部、２７８、２７９  案内部、２８０  収容部、２８２、２８４  フレキシブルプリント基板、２８３  中継部、２９０  係止機構、２９２  係止ノブ、２９３  係止レバー、２９４  係止爪、２９５  小突起、２９６  ＧＰＳユニット
【図１】
2014182214.tif 000003
【図２】
2014182214.tif 000004
【図３】
2014182214.tif 000005
【図４】
2014182214.tif 000006
【図５】
2014182214.tif 000007
【図６】
2014182214.tif 000008
【図７】
2014182214.tif 000009
【図８】
2014182214.tif 000010
【図９】
2014182214.tif 000011
【図１０】
2014182214.tif 000012
【図１１】
2014182214.tif 000013
【図１２】
2014182214.tif 000014
【図１３】
2014182214.tif 000015
【図１４】
2014182214.tif 000016
【図１５】
2014182214.tif 000017
【図１６】
2014182214.tif 000018
【図１７】
2014182214.tif 000019
【図１８】
2014182214.tif 000020
【図１９】
2014182214.tif 000021
【図２０】
2014182214.tif 000022
【図２１】
2014182214.tif 000023
【図２２】
2014182214.tif 000024
【図２３】
2014182214.tif 000025
【図２４】
2014182214.tif 000026
【図２５】
2014182214.tif 000027
【図２６】
2014182214.tif 000028
【図２７】
2014182214.tif 000029
【図２８】
2014182214.tif 000030
【図２９】
2014182214.tif 000031
【図３０】
2014182214.tif 000032